(57)【特許請求の範囲】
【請求項１】
内部に心材（３）を埋め込んだ弾性材からなる本体（４）を有し該本体（４）が反幹接触側に上下方向で所要の間隔をおいて横孔（５，５）を有している複数の養生材（１）と、前記各養生材（１）の横孔（５，５）に挿通され両最外側の養生材（１´，１´´）から左右両端のＵターン部分（２ａ，２ａ）を延在させたエンドレス状の養生用ロープ（２）を備えたことを特徴とする樹幹養生具。
【請求項２】
内部に心材（３）を埋め込んだ弾性材からなる本体（４）を有し該本体（４）が反幹接触側に上下方向で所要の間隔をおいて横孔（５，５）を有している複数の養生材（１）と、前記各養生材（１）の横孔（５，５）に挿通され両最外側の養生材（１´，１´´）から左右両端のＵターン部分（２ａ，２ａ）を延在させたエンドレス状の養生用ロープ（２）を備えた複数の養生具（Ａ，Ａ）と、それら養生具（Ａ，Ａ）の各養生用ロープ（２，２）の集合両端部分に連結される緊張用ロープ（Ｂ）と、該緊張用ロープ（Ｂ）の張力を調整する張力調整具（Ｃ）とを備えていることを特徴とする樹幹養生装置。
【発明の詳細な説明】
【０００１】
【発明の属する技術分野】
本発明は古木などの補強に好適な樹幹の養生具およびこれを利用した樹幹の養生装置に関する。
【０００２】
【従来の技術】
【０００３】
国や県などで指定された天然記念樹をはじめ一般的に古木とよばれる樹木は老化が進行しているため、風によりあるいはさらなる老化により折れてしまう可能性が非常に高く、その予防のため幹相互間あるいは幹をしっかりした固定物に吊って支持させる方法が採られている。
【０００４】
この方法として、従来では一般に、対象とする樹木の幹の周りに木片を当接して針金（番線）で仮固定し、この上にワイヤロープを巻き付けてワイヤロープを幹に固定し、こうした作業を複数の幹に対して行い、複数の幹にワイヤロープを巻き付けたり、あるいは１本の幹に前記方法でワイヤロープを固定し、ワイヤロープの他端を頑強な固定部や固定物に止める方法が採られている。
【０００５】
【発明が解決しようとする課題】
しかし、先行技術では養生に木片を使用しているため、数年の間で腐ってボロボロとなったり、落下してしまいやすいので養生機能が短期間で喪失しやすく、また、幹の成長に対応できないため木片が樹皮に喰い込んだりワイヤロープそのものが樹皮に喰い込んだりして樹の成育に悪影響を及ぼしやすく、さらに、経年により剛性不足となるため、局部的にワイヤロープの荷重が幹に作用するという問題があった。
【０００６】
また、先行技術は１本または複数本のワイヤロープを幹に直接巻き付けているため、風による幹の揺れに対してワイヤロープおよび幹が直接影響を受けやすく、また、幹の成長具合によりワイヤロープがゆるんだ場合に再緊張を行えないため、安定、確実な折れ防止効果を期待し得ないという問題があった。
さらに木片や針金が幹に巻き付けられているため体裁が悪く、天然記念樹などとしての外観が損なわれ、景観上も問題があった。
【０００７】
本発明は前記のような問題点を解消するためになされたもので、その目的とするところは、古木類への影響を最少限に抑えつつ安定確実な折れ防止養生を実現することができる簡単な構造の樹幹養生具を提供することにある。
【０００８】
また本発明の他の目的は、施工を短時間で行なえかつ幹の成長などに応じて簡単にかつバランスよく張力調整を行なえる樹幹の養生装置を提供することにある。
【０００９】
【課題を解決するための手段】
上記目的を達成するため本発明は、内部に心材を埋め込んだ弾性材からなる本体を有し該本体が反幹接触側に上下方向で所要の間隔をおいて横孔を有している複数の養生材と、前記各養生材の横孔に挿通され両最外側の養生材から左右両端のＵターン部分を延在させたエンドレス状の養生用ロープとを備えていることを特徴としている。
【００１０】
また、本発明は、内部に心材を埋め込んだ弾性材からなる本体を有し該本体が反幹接触側に上下方向で所要の間隔をおいて横孔を有している複数の養生材と、前記各養生材の横孔に挿通され両最外側の養生材から左右両端のＵターン部分を延在させたエンドレス状の養生用ロープとを備えた複数の養生具と、それら養生具の各養生用ロープの集合両端部分に連結される緊張用ロープと、該緊張用ロープの張力を調整する張力調整具とを備えていることを特徴としている。
【００１１】
【発明の実施の形態】
以下本発明の実施例を添付図面を参照して説明する。
図１ないし図３は本発明による樹幹の養生具の実施例を示しており、樹幹に添接するための複数本の養生材１，１’，１”と、これを貫くように組み合わされた養生用ロープ２からなっている。
【００１２】
前記養生材１（１’，１”も同じ）は図２と図３にその幾つかの例を示しており、内部に剛性のある心材３を埋め込み、一面を樹幹に対する接触面（正面）４０とした本体４を有し、本体４の樹幹に対する反接触面側（背面）には、上下方向で適当な距離をおいて複数カ所（実施例では２か所）の横孔５，５を設けている。
前記本体４は樹皮の硬さに応じる硬さを有し、かつ耐侯性、耐摩耗性の良好な弾性材から構成されており、所要の高さと幅を持った棒状、帯板状などの形状をなしている。弾性材としては、ゴム、軟質プラスチックなどから選択される。
【００１３】
心材３は機械的強度が高い材料たとえば鉄鋼材、ＦＲＰ材などからなっており、形態としては、丸棒、Ｄ断面棒、フラットバー、パイプ、網などから適宜選択される。
【００１４】
図２において、（ａ）は本体４の背面側に突部４ａ，４ａを一体形成し、それら突部の厚さ方向を貫いて横孔５，５を設けている。（ｂ）は本体４に突部を設けず厚肉に形成し、心材３から所定の距離隔たった部位に横孔５，５を設けている。
【００１５】
（ｃ）においては、心材３に横孔５，５を有する突部３ａ，３ａを一体形成し、それら突部３ａ，３ａが露出するように心材３を本体４で包んでいる。（ｄ）においては、心材３に横孔５，５を有する突部３ａ，３ａを一体形成し、突部３ａ，３ａを含む心材３を本体４に埋設している。なお、（ｂ）（ｄ）において、横孔５，５は本体４の幅方向を貫通している。
【００１６】
いずれの場合にも、心材３は接触面４０から所定の距離をおいて埋設されていることが必要である。それは、前記接触面４０が樹幹に接触し養生用ロープ２に張力がかかったときに、樹幹に心材３が直接的に接触することなく接触面領域が樹幹の形状に沿って変形し得るようにするためである。
【００１７】
図３は図２（ａ）に対応する養生材１の平面形状例を示しており、（ａ）は円形状としたもの、（ｂ）は角形状としたもの、（ｃ）は横長偏平形状としたもの、（ｄ）は樹幹との接触面４０を凹入状としたものを示している。
【００１８】
前記養生用ロープ２は１×３、１×７など任意の撚り構造のワイヤロープが用いられ、養生材１がみだりに移動しないように、ワイヤロープの太さは横孔５，５の孔径と同程度になっている。
【００１９】
養生用ロープ２は、施すべき樹幹の太さに応じた所要長さの１本のワイヤロープを、図１と図２のように、並列配置の各養生材１の上段側（または下段側）の各横孔５に連続的に挿通し、一端位置の養生材１’より所要長さ延出した位置でＵターンし、一端位置の養生材１’の下段側（または上段側）の横孔５を挿通し、順次並列状の他の養生材１の横孔５に連続的に挿通した後、他端位置の養生材１”から所要長さ延出した位置でＵターンし、接続金具２ａによりエンドレス状に接続されることにより構成されている。
養生用ロープ２は、両端の養生材１’，１”から延びるＵ状部分２ａ，２ａをほぼ同等の長さとすることが好ましい。
【００２０】
図４と図５は本発明による樹幹の養生具を利用した樹幹養生装置を例示しており、前述したような複数本の養生材１，１’，１”と、これを貫くように組み合わされた養生用ロープ２からなる複数の養生具Ａと、それら各養生具Ａ，Ａの養生用ロープ２，２を連結する緊張用ロープＢと、緊張用ロープＢの長さを加減して張力を調整するための張力調整具Ｃとを備えている。
【００２１】
前記緊張用ロープＢは１×３、１×７など任意の撚り構造のワイヤロープからなり、張力調整具Ｃとしてはターンバックルが代表的なものとして使用される。
そのほかの金具としては、シャックルＤ、シンブルＥ、ワイヤクリップＦなどが適宜併用される。シンブルＥは、図４（ｂ）と図５（ｂ）のように周囲にロープを嵌める溝を有し円形部分の先がすぼまって側面リング状をなした金具であり、前記養生用ロープ２のＵ状部分２ａ，２ａの先端部分にそれぞれ内接される。
【００２２】
シャックルＤは側面略鍵穴形状をなし、環状部分ｄをもって前記シンブルＥのリング状部分に交差状に挿通される。そして、シャックルＤの自由端側（二又部分）に張力調整具Ｃのねじ棒先端のリング部ｃが位置され、ボルトによって連結されている。
前記張力調整具Ｃの他端のねじ棒端部（二又状部またはリング部）ｃ’には緊張用ロープＢの端末部が連結される。この例では、端末部が折り返され、Ｕターンした端末とこれに対応する部分がワイヤクリップＦによって接続されている。
【００２３】
前記緊張用ロープＢの他端の端末部は他の養生具Ａにおける養生用ロープ２に向かって延び連結される。この例では、養生用ロープ２のＵ状先端部分に取り付けたシンブルＥに連結されたシャックルＤに挿通され、Ｕターン状の端末とこれに対応する部分がワイヤクリップＦによって接続されている。
【００２４】
以上の説明は本発明の単なる例であり、これに限定されるものではない。
１）養生材１，１’，１”は樹幹の径の増大に対応する限度内で広い幅を有していてもよい。
２）突部４ａは必ずしも上下で分離されている場合に限らず、単一のプレート状の突部であってもよい。
【００２５】
３）横孔５は場合によっては４つ以上の偶数個が配列され、それら各組ごとに養生用ロープが挿通されていてもよい。これは太い幹である場合に適している。
４）養生用ロープ２の集合部分にはシンブルＥが取り付けられ、それらに緊張用ロープＢが交差状に挿通されるのを通例とするが、場合によっては、シンブルが取り付けられぬまま、養生用ロープ２の集合部分に緊張用ロープＢが直接交差状に挿通されてもよい。
５）張力調整具Ｃは一端が養生具Ａに連結される場合に限定されない。後述する施工例のように、緊張用ロープＢの途中に配されていてもよい。
【００２６】
本発明はまた、樹幹の養生方法を含んでいる。その養生法の特徴は、内部に心材を埋め込んだ弾性材からなる本体を有し該本体が反幹接触側に上下方向で所要の間隔をおいて横孔を有している複数の養生材と、前記各養生材の横孔に挿通され両最外側の養生材から左右両端のＵターン部分を延在させたエンドレス状の養生用ロープ２とを備えた養生具Ａ，Ａを複数組使用し、それぞれ養生材を対象樹木の幹に当接させて前記エンドレスロープの両端を樹木から離間した方向に導き集合させ、その集合部分を他の組の集合部分と緊張用ロープＢおよび張力調整金具Ｃを介して連結Ｄし牽引力を付与することにある。
【００２７】
【実施例の作用】
本発明による養生具Ａと養生装置の使用法の例を説明すると、施工に当たっては、対象とする樹木７，７に対して各養生材１，１’，１”が幹７０の半周程度においてほぼ等間隔で接しうるように、養生用ロープ２に対する養生材の配置間隔を調整し、この状態で各養生材１，１’．１”を幹７０に接触させ、両端の養生材１’，１”から延出するＵ状部分２ａ，２ａを吊りないし牽引すべき方向に導き、Ｕ状部分２ａ，２ａの両先端部分を集合させる。そして、両先端部分にシンブルＥ，Ｅを装着し、これらシンブルＥ，ＥにシャックルＤ，Ｄを装着しておく。
【００２８】
一方、樹木７，７の間隔に対応した長さの緊張用ロープＢを用意し、これにあらかじめ張力調整具Ｃを連結して緊張ロープアッセンブリを構成しておく。
そして、この緊張ロープアッセンブリを前記養生具Ａ，Ａ間に位置させ、図４や図５のように緊張用ロープＢの一端末（右端）を養生具ＡのシャックルＤに連結し、他端末（左端）を張力調整具Ｃに連結する。これにより各樹木７，７の養生用ロープ２，２は緊張用ロープＢで結ばれるので、張力調整金具Ｃを操作して張力を付与する。
これにより、緊張用ロープＢは各養生具Ａ，Ａの養生用ロープ２，２を牽引し、養生材１，１’，１”が幹７０，７０に密接し、養生材１，１’，１”を介して各樹木７，７を反折れ方向ないし反倒れ方向に引っ張る。これで作業は完了する。
【００２９】
図６と図７は本発明による養生具Ａと養生装置の適用例を示している。
図６の例では５本の幹７０ａ，７０ｂ，７０ｃ，７０ｄ，７０ｅにそれぞれ養生具Ａを取り付け、各養生具Ａの養生用ロープ２のＵ状部分２ａ，２ａの集合部分に緊張用ロープＢを通し、張力調整金具Ｃにてその緊張用ロープＢに張力を付与することにより５本の幹を外方に倒れないように牽引している。
【００３０】
前記Ｕ状部分２ａ，２ａの集合部分への緊張用ロープＢの挿通は直接でもよいし、間接的すなわち、図５（ａ）のようにＵ状部分２ａ，２ａの集合部分にシンブルＥを装着し、それにシャックルＤを連結し、そのシャックルＤに緊張用ロープＢを挿通してもよい。なお、この例では、図６（ｄ）のように、張力調整金具Ｃが緊張用ロープＢの中間部分に介在されている。
【００３１】
図７の例では、３本の幹７０ａ，７０ｂ，７０ｃの２本の幹７０ａ，７０ｂに養生具Ａ，Ａを取り付け、養生用ロープ２の集合部分に第１の緊張用ロープＢと張力調整金具Ｃを連結して牽引し、前記幹７０ａの養生具取り付け位置の近傍に別の養生具Ａを取り付け、この養生具Ａと幹７０ｃに取り付けた養生具Ａの両養生用ロープ２，２の集合部分に第２の緊張用ロープＢを連結し、前記幹７０ｂ，７０ｃの別の位置にそれぞれ養生具Ａ，Ａを取り付け、それらから延びる養生用ロープ２の集合部分に第３の緊張用ロープＢを連結している。
前記幹７０ａ，７０ｂの養生装置は図５（ａ）に示されているものと同じ形態を採用している。幹７０ａ，７０ｃの養生装置も同様であってもよい。
【００３２】
本発明は養生材Ａの本体４がゴムなどの弾性材からなるため、腐食の心配がなてとともに成形時の硬度の調整により多種類の樹皮硬さに対応することができ、また、可縮性によって変形が可能であるため、樹皮の凹凸形状によく倣い、幹に対して接触面積を大きくとることができる。また、成形時に顔料を添加することにより幹の色に近い色にすることができるので、使用状態の違和感を低減させ、景観の低下を回避することができる。
【００３３】
本体４には心材３を埋設しているため、これの剛性により本体１の過度の変形が防止されるとともに、緊張用ロープＢからの荷重を分散して幹を支えることができ、本体４または心材３に横孔５を有しこれに養生用ロープ２を挿通しているので養生材が落下することがなく、腐食が生じないこととあいまって、長期に渡って安定した取り付け状態を保持することができる。
【００３４】
各養生材Ａは少なくとも背方に上下２つの横孔５，５を有し、これらにエンドレス状の養生用ロープ２が交差状に挿通され、両端の養生材１’，１”からＵ字状延出部分が延びたものが養生具Ａとされてるので、取り扱いが容易であるとともに、養生用ロープ２の上部側と下部側の２本が組となって幹を２か所で同時に支えることができ、本体４が弾性材であることとあいまって樹幹に集中的な荷重を与えない。しかも、心材３があることと養生用ロープ２の上部側と下部側の２本がＵ字状につながれていてそうした左右のＵ字状延出部分が集合して引っ張られることにより、ロープ張力をバランスよく作用させることができる。
【００３５】
また、養生用ロープ２は両端の養生材１’，１”から延出して樹幹から離間する方向に導かれ、直接樹幹に巻かれることがないので、樹幹に対してロープの締付けによる圧痕や傷を与えない。そして、そうした養生具Ａと緊張用ロープＢとは別部材とされ、複数の樹幹の各養生用ロープ２，２の延出部分に緊張用ロープＢを交差状に渡して緊張用ロープＢに張力調整金具Ｃを取り付けているので、樹幹の成長などによりロープ張力の変化が生じた場合においても、１か所ないし数か所の張力調整金具Ｃを操作するだけて、簡単にしかも全体にバランスよく張力調整を行なうことができる。
【００３６】
【発明の効果】
以上説明した本発明の請求項１によるときには、内部に心材３を埋め込んだ弾性材からなる本体４を有し該本体４が反幹接触側に上下方向で所要の間隔をおいて横孔５，５を有している複数の養生材１と、前記各養生材１の横孔５，５に挿通され両最外側の養生材１’，１”から左右両端のＵターン部分２ａ，２ａを延在させたエンドレス状の養生用ロープ２を備えているので、古木類への影響を最少限に抑えつつ安定確実な折れ防止養生を実現することができる簡単な構造の樹幹養生具を提供できるというすぐれた効果が得られる。
【００３７】
請求項2によれば、内部に心材３を埋め込んだ弾性材からなる本体４を有し該本体４が反幹接触側に上下方向で所要の間隔をおいて横孔５，５を有している複数の養生材１と、前記各養生材１の横孔５，５に挿通され両最外側の養生材１´，１´´から左右両端のＵターン部分２ａ，２ａを延在させたエンドレス状の養生用ロープ２とを備えた複数の養生具Ａ，Ａと、それら養生具Ａ，Ａの各養生用ロープ２，２の集合両端部分に連結される緊張用ロープＢと、該緊張用ロープＢの張力を調整する張力調整具Ｃとを備えているので、施工を短時間で行なえかつ幹の成長などに応じて簡単にかつバランスよく張力調整を行なえるというすぐれた効果が得られる。
【図面の簡単な説明】
【図１】本発明による樹幹養生具の一実施例を示す背面図である。
【図２】（ａ）ないし（ｄ）はそれぞれ養生材の実施例を示す部分切欠断面図である。
【図３】（ａ）ないし（ｄ）はそれぞれ養生材の実施例を示す部分切欠横断面図である。
【図４】（ａ）は本発明による樹幹養生具および養生装置の使用状態を例示した側面図、（ｂ）は同じくその部分的拡大図である。
【図５】（ａ）は本発明による樹幹養生具および養生装置の使用状態を例示した平面図、（ｂ）は同じくその部分的拡大図である。
【図６】（ａ）は本発明の使用態様の１例を示す側面図、（ｂ）は同じくその横断面図、（ｃ）は部分的拡大図である。
【図７】（ａ）は本発明の使用態様の他の例を示す側面図、（ｂ）は同じくその横断面図である。
【符号の説明】
１  養生具
２  養生用ロープ
３  心材
４  本体
５  横孔
Ａ  養生具
Ｂ  緊張用ロープ
Ｃ  張力調整具
【図１】
0004028681.tif 000002
【図２】
0004028681.tif 000003
【図３】
0004028681.tif 000004
【図４】
0004028681.tif 000005
【図５】
0004028681.tif 000006
【図６】
0004028681.tif 000007
【図７】
0004028681.tif 000008